【手続補正書】
【提出日】平成16年6月15日(2004.6.15)
【手続補正１】
【補正対象書類名】明細書
【補正対象項目名】特許請求の範囲
【補正方法】変更
【補正の内容】
【特許請求の範囲】
【請求項１】
感光体ドラムと、前記感光体ドラムに作用するプロセス手段の少なくとも一つを有し、画像形成装置に使用可能なプロセスカートリッジに装着されるメモリー媒体において、
前記感光体ドラムの積算された回転時間を格納するための第１の記憶部と、
前記感光体ドラムの使用量演算式係数を格納するための第２の記憶部と、
前記感光体を帯電するための帯電手段に印加する帯電バイアス電圧の積算された時間を格納するための第３の記憶部と、
前記第１、第２及び第３の記憶部に格納された情報に応答してプロセス条件を変更するためのドラム使用量閾値を格納するための第４の記憶部と、
を有することを特徴とするメモリー媒体。
【請求項２】
前記ドラム使用量閾値は複数設定され、前記第４の記憶部は、これら複数の閾値を格納する追加の記憶部を有していることを特徴とする請求項１のメモリー媒体。
【請求項３】
更に、ドラム感度情報を格納するための第５の記憶部を有することを特徴とする請求項１又は２のメモリー媒体。
【請求項４】
更に、ドラム使用量閾値記録情報を格納するための第６の記憶部を有することを特徴とする請求項３のメモリー媒体。
【請求項５】
前記帯電手段は、前記感光体ドラムに接触していることを特徴とする請求項１〜４のいずれかの項に記載のメモリー媒体。
【請求項６】
前記帯電手段は、ＤＣ電圧が重畳されたＡＣ電圧が供給されることを特徴とする請求項１〜４のいずれかの項に記載のメモリー媒体。
【請求項７】
前記メモリー媒体は、前記画像形成装置の装置本体との通信を非接触にて行うことを特徴とする請求項１〜６のいずれかの項に記載のメモリー媒体。
【請求項８】
感光体ドラムと、前記感光体ドラムに作用するプロセス手段の少なくとも一つを一体的にユニット化して画像形成装置本体から着脱可能としたプロセスカートリッジであり、前記プロセスカートリッジに関する情報を記憶するメモリを備えたプロセスカートリッジにおいて、
前記画像形成装置本体は、前記プロセスカートリッジのメモリの記憶内容を読み書きする手段と、前記メモリの記憶情報に基づいて画像形成プロセス条件を変更する制御手段とを有し、
前記メモリは、前記感光体ドラムの積算された回転時間を格納するための第１の記憶部と、前記感光体ドラムの使用量演算式係数を格納するための第２の記憶部と、前記感光体ドラムを帯電するための帯電手段に印加する帯電バイアス電圧の積算された時間を格納するための第３の記憶部と、前記第１、第２及び第３の記憶部に格納された情報に応答してプロセス条件を変更するためのドラム使用量閾値を格納するための第４の記憶部と、を有する、
ことを特徴とするプロセスカートリッジ。
【請求項９】
前記ドラム使用量閾値は複数設定され、前記第４の記憶部は、これら複数の閾値を格納する追加の記憶部を有していることを特徴とする請求項８のプロセスカートリッジ。
【請求項１０】
更に、ドラム感度閾値を格納するための第５の記憶部を有することを特徴とする請求項８又は９のプロセスカートリッジ。
【請求項１１】
更に、ドラム使用量閾値記録情報を格納するための第６の記憶部を有することを特徴とする請求項１０のプロセスカートリッジ。
【請求項１２】
前記帯電手段は、前記感光体ドラムに接触していることを特徴とする請求項８〜１１のいずれかの項に記載のプロセスカートリッジ。
【請求項１３】
前記帯電手段は、ＤＣ電圧が重畳されたＡＣ電圧が供給されることを特徴とする請求項８〜１１のいずれかの項に記載のプロセスカートリッジ。
【請求項１４】
前記メモリは、前記画像形成装置の装置本体との通信を非接触にて行うことを特徴とする請求項８〜１３のいずれかの項に記載のプロセスカートリッジ。
【請求項１５】
プロセスカートリッジを着脱可能であって、記録媒体に画像を形成する電子写真画像形成装置において、
（ａ）（ｉ）感光体ドラムと、前記感光体ドラムに作用するプロセス手段の少なくとも一つを一体的にユニット化したプロセスカートリッジであり、
(ii)前記感光体ドラムの積算された回転時間を格納するための第１の記憶部と、前記感光体ドラムの使用量演算式係数を格納するための第２の記憶部と、前記感光体ドラムを帯電するための帯電手段に印加する帯電バイアス電圧の積算された時間を格納するための第３の記憶部と、前記第１、第２及び第３の記憶部に格納された情報に応答してプロセス条件を変更するためのドラム使用量閾値を格納するための第４の記憶部と、を有するメモリ、
を有するプロセスカートリッジを取り外し可能に装着するための装着手段と、
（ｂ）前記プロセスカートリッジが前記装着手段に装着された状態で、前記プロセスカートリッジの有するメモリと通信する通信手段と、
（ｃ）前記通信手段を介して受けた情報に基づいて画像形成プロセス条件を変更する制御手段と、
を有することを特徴とする電子写真画像形成装置。
【請求項１６】
前記ドラム使用量閾値は複数設定され、前記第４の記憶部は、これら複数の閾値を格納する追加の記憶部を有していることを特徴とする請求項１５の電子写真画像形成装置。
【請求項１７】
更に、ドラム感度情報を格納するための第５の記憶部を有することを特徴とする請求項１５又は１６の電子写真画像形成装置。
【請求項１８】
更に、ドラム使用量閾値記録情報を格納するための第６の記憶部を有することを特徴とする請求項１７の電子写真画像形成装置。
【請求項１９】
前記帯電手段は、前記感光体ドラムに接触していることを特徴とする請求項１５〜１８のいずれかの項に記載の電子写真画像形成装置。
【請求項２０】
前記帯電手段は、ＤＣ電圧が重畳されたＡＣ電圧が供給されることを特徴とする請求項１５〜１８のいずれかの項に記載の電子写真画像形成装置。
【請求項２１】
前記メモリは、前記画像形成装置の装置本体との通信を非接触にて行うことを特徴とする請求項１５〜２０のいずれかの項に記載の電子写真画像形成装置。
【請求項２２】
画像形成装置本体とプロセスカートリッジを有する画像形成装置を制御するための画像形成装置制御システムにおいて、
前記プロセスカートリッジは、感光体ドラムと、前記感光体ドラムに作用するプロセス手段の少なくとも一つを有し、
前記画像形成装置制御システムは、前記プロセスカートリッジに設けられるメモリー媒体であって、
前記感光体ドラムの積算された回転時間を格納するための第１の記憶部と、前記感光体ドラムの使用量演算式係数を格納するための第２の記憶部と、前記感光体ドラムを帯電する帯電手段に印加する帯電バイアス電圧の積算された時間を格納するための第３の記憶部と、プロセス条件を変更するためのドラム使用量閾値を格納するための第４の記憶部と、を有するメモリー媒体と、
前記感光体ドラムの積算された回転時間と、前記使用量演算式係数と、帯電手段に印加する帯電バイアス電圧の積算された時間とに基づいて前記感光体ドラムの使用量を計算するための、前記画像形成装置に設けられた演算手段と、
前記演算手段の演算結果が前記ドラム使用量閾値に達したことに応答して前記プロセス条件を切り替える切替手段と、
を有することを特徴とする画像形成装置制御システム。
【請求項２３】
前記メモリー媒体は、前記プロセス条件を変更するための第２のドラム使用量閾値を有し、前記切替手段は、前記演算手段の演算結果が前記第２のドラム使用量閾値に達したことに応答して前記プロセス条件を変更することを特徴とする請求項２２の画像形成装置制御システム。
【請求項２４】
前記メモリー媒体は、更に、ドラム感度情報を格納するための第５の記憶部を有し、画像形成スタンバイ前に前記ドラム感度情報に応じてプロセス手段条件を設定することを特徴とする請求項２２又は２３の画像形成装置制御システム。
【請求項２５】
前記メモリー媒体は、更に、ドラム使用量閾値記録情報を格納するための第６の記憶部を有し、前記ドラム使用量閾値記録情報に応じて画像形成スタンバイＯＮ・ＯＦＦ判断を行うことを特徴とする請求項２４の画像形成装置制御システム。
【請求項２６】
前記帯電手段は、前記感光体ドラムに接触していることを特徴とする請求項２２〜２５のいずれかの項に記載の画像形成装置制御システム。
【請求項２７】
前記帯電手段は、ＤＣ電圧が重畳されたＡＣ電圧が供給されることを特徴とする請求項２２〜２６のいずれかの項に記載の画像形成装置制御システム。
【請求項２８】
前記メモリー媒体は、前記画像形成装置の装置本体との通信を電磁波により非接触にて行うことを特徴とする請求項２２〜２７のいずれかの項に記載の画像形成装置制御システム。
【手続補正２】
【補正対象書類名】明細書
【補正対象項目名】００１０
【補正方法】変更
【補正の内容】
【００１０】
第１の本発明によると、感光体ドラムと、前記感光体ドラムに作用するプロセス手段の少なくとも一つを有し、画像形成装置に使用可能なプロセスカートリッジに装着されるメモリー媒体において、
前記感光体ドラムの積算された回転時間を格納するための第１の記憶部と、
前記感光体ドラムの使用量演算式係数を格納するための第２の記憶部と、
前記感光体を帯電するための帯電手段に印加する帯電バイアス電圧の積算された時間を格納するための第３の記憶部と、
前記第１、第２及び第３の記憶部に格納された情報に応答してプロセス条件を変更するためのドラム使用量閾値を格納するための第４の記憶部と、
を有することを特徴とするメモリー媒体である。本発明によれば、メモリ内に個々のカートリッジごとの特性に応じてプロセス条件変更のタイミングを設定できるため、個々のカートリッジのバラツキを無くして安定した画像を供給することができる。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第２の本発明によると、感光体ドラムと、前記感光体ドラムに作用するプロセス手段の少なくとも一つを一体的にユニット化して画像形成装置本体から着脱可能としたプロセスカートリッジであり、前記プロセスカートリッジに関する情報を記憶するメモリを備えたプロセスカートリッジにおいて、
前記画像形成装置本体は、前記プロセスカートリッジのメモリの記憶内容を読み書きする手段と、前記メモリの記憶情報に基づいて画像形成プロセス条件を変更する制御手段とを有し、
前記メモリは、前記感光体ドラムの積算された回転時間を格納するための第１の記憶部と、前記感光体ドラムの使用量演算式係数を格納するための第２の記憶部と、前記感光体ドラムを帯電するための帯電手段に印加する帯電バイアス電圧の積算された時間を格納するための第３の記憶部と、前記第１、第２及び第３の記憶部に格納された情報に応答してプロセス条件を変更するためのドラム使用量閾値を格納するための第４の記憶部と、を有する、
ことを特徴とするプロセスカートリッジが提供される。本発明によれば、メモリ内に個々のカートリッジごとの特性に応じてプロセス条件変更のタイミングを設定できるため、個々のカートリッジのバラツキを無くして、安定した画像を供給することができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
第３の本発明によると、プロセスカートリッジを着脱可能であって、記録媒体に画像を形成する電子写真画像形成装置において、
（ａ）（ｉ）感光体ドラムと、前記感光体ドラムに作用するプロセス手段の少なくとも一つを一体的にユニット化したプロセスカートリッジであり、
(ii)前記感光体ドラムの積算された回転時間を格納するための第１の記憶部と、前記感光体ドラムの使用量演算式係数を格納するための第２の記憶部と、前記感光体ドラムを帯電するための帯電手段に印加する帯電バイアス電圧の積算された時間を格納するための第３の記憶部と、前記第１、第２及び第３の記憶部に格納された情報に応答してプロセス条件を変更するためのドラム使用量閾値を格納するための第４の記憶部と、を有するメモリ、
を有するプロセスカートリッジを取り外し可能に装着するための装着手段と、
（ｂ）前記プロセスカートリッジが前記装着手段に装着された状態で、前記プロセスカートリッジの有するメモリと通信する通信手段と、
（ｃ）前記通信手段を介して受けた情報に基づいて画像形成プロセス条件を変更する制御手段と、
を有することを特徴とする電子写真画像形成装置が提供される。本発明によると、メモリ内に記憶されたカートリッジごとの特性に応じてプロセス条件変更のタイミングを設定できるため、個々のカートリッジのバラツキを無くして安定した画像を供給することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
第４の本発明によると、画像形成装置本体とプロセスカートリッジを有する画像形成装置を制御するための画像形成装置制御システムにおいて、
前記プロセスカートリッジは、感光体ドラムと、前記感光体ドラムに作用するプロセス手段の少なくとも一つを有し、
前記画像形成装置制御システムは、前記プロセスカートリッジに設けられるメモリー媒体であって、
前記感光体ドラムの積算された回転時間を格納するための第１の記憶部と、前記感光体ドラムの使用量演算式係数を格納するための第２の記憶部と、前記感光体ドラムを帯電する帯電手段に印加する帯電バイアス電圧の積算された時間を格納するための第３の記憶部と、プロセス条件を変更するためのドラム使用量閾値を格納するための第４の記憶部と、を有するメモリー媒体と、
前記感光体ドラムの積算された回転時間と、前記使用量演算式係数と、帯電手段に印加する帯電バイアス電圧の積算された時間とに基づいて前記感光体ドラムの使用量を
計算するための、前記画像形成装置に設けられた演算手段と、
前記演算手段の演算結果が前記ドラム使用量閾値に達したことに応答して前記プロセス条件を切り替える切替手段と、
を有することを特徴とする画像形成装置制御システムが提供される。本発明によると、メモリ内に記憶されたカートリッジごとの特性に応じてプロセス条件変更のタイミングを設定できるため、個々のカートリッジのバラツキを無くして安定した画像を供給することができる。
【手続補正９】
【補正対象書類名】明細書
【補正対象項目名】００１７
【補正方法】削除
【補正の内容】
【手続補正１０】
【補正対象書類名】明細書
【補正対象項目名】００４９
【補正方法】変更
【補正の内容】
【００４９】
帯電ローラ２状態や感光体ドラム１の膜厚はカートリッジに使用されているそれぞれの部品の特性及び使用量に依存している。そこで、本実施例では
（１）プロセスカートリッジＣにメモリ２２を備え、帯電バイアス印加時間と感光体ドラム１の駆動時間によって重み付けられた演算式によって計算された使用量を得る。今後、「ドラム使用量データ」と呼ぶ。
（２）感光体ドラム１や帯電ローラ２の特性によって決定されるドラム使用量データの閾値と演算式の係数情報をメモリ２２に格納させる。
（３）画像形成装置本体１００によって計測される帯電バイアス印加時間と感光体ドラム１の駆動時間と係数情報によってカートリッジ使用量を計算し、その値がメモリ２２に記憶されている閾値に到達したとき帯電電流値を切り変える。
という制御を行う。このことにより、画質を保ったまま必要最低限の帯電電流値で帯電することを可能にし、感光体ドラム１の長寿命化を達成する。